(57)【要約】【課題】  相手方との間の結合強度を高めて信頼性を向上させる。【解決手段】  ケーシング１の前側には間隙をもって２本の柱部４を立設し、これらの柱部４間に間隙部６を形成する。また、アダプタケース１０の後側には２本の柱部４を連結する連結部１２を形成する。そして、連結部１２には、柱部４のうちフック部５側に当接する梁部１３Ａを設けると共に、梁部１３Ａの両端側には２本の柱部４を梁部１３Ａの両側（左，右両側）から挟んだ状態で各柱部４に嵌合する嵌合部１４を設ける。これにより、フック部５に係合した相手方に対してケーシング１から離れる方向の力が作用しても、連結部１２の梁部１３Ａと嵌合部１４とを用いて柱部４が変形するのを防止でき、２つのフック部５間の間隔をほぼ一定に保持して結合強度を高めることができる。【選択図】        図４
2005309235.tif 000002
【特許請求の範囲】
【請求項１】
ケーシングと、該ケーシングの底部に間隙をもって立設された２本の柱部と、該各柱部にそれぞれ設けられ前記ケーシングの外側に向けて突出し相手方に係合するフック部と、前記ケーシングに取付けられ相手方に接続される接続端部が前記２本の柱部間に形成された間隙部内に配置されるコネクタ本体と、前記２本の柱部の先端側を連結する連結部材とを備えたコネクタ装置において、
前記連結部材は、前記間隙部を越えて２本の柱部間に伸長し前記各柱部のうちフック部側に当接した梁部と、該梁部の両端側に設けられて前記各柱部に嵌合し該梁部の両端側から前記２本の柱部を挟む嵌合部とを有する構成としたことを特徴とするコネクタ装置。
【請求項２】
前記嵌合部は、基端側が前記梁部の端部に接続され前記柱部を取囲んで前記ケーシングの外側から内側に向けて延びる腕部と、該腕部の先端に設けられ前記柱部に係合して前記連結部材がケーシングの外側に抜けるのを防止する保持ガイド部とを有する構成としてなる請求項１に記載のコネクタ装置。
【請求項３】
前記腕部は、基端側から先端側に向けて前記柱部から離れる方向に傾斜して延びる構成としてなる請求項２に記載のコネクタ装置。
【請求項４】
前記ケーシングには前記コネクタ本体を覆うカバー部材が設けられ、該カバー部材は、前記連結部材の梁部とケーシングとに連結して前記柱部がケーシングの外側に倒れるのを防止する構成としてなる請求項１，２または３に記載のコネクタ装置。
【発明の詳細な説明】
【技術分野】
【０００１】
本発明は、例えば光ファイバに接続される光モジュール等のコネクタ装置に関する。
【背景技術】
【０００２】
一般に、コネクタ装置として、ハウジング内に光合分波器を収容すると共に、光作動素子のスリーブ（フェルールホルダ）をスリーブ保持体を用いて固定した光ファイバ用の光モジュールが知られている（例えば、特許文献１参照）。このような光モジュールでは、スリーブ保持体には間隙をもって立設された２本ずつの柱部が形成されると共に、各柱部にはハウジングの外側に向けて延びるフック部が形成されている。そして、これらの柱部の間に形成された間隙部内にはスリーブを挿入すると共に、この状態でスリーブ保持体をハウジングに取付け、スリーブ保持体とハウジングとの間にスリーブを固定していた。
【０００３】
【特許文献１】特開平８−１３６７６７号公報
【発明の開示】
【発明が解決しようとする課題】
【０００４】
ところで、上述した従来技術による光モジュールでは、スリーブ保持体に立設された２本の柱部の先端側をハウジングを用いて連結し、スリーブ保持体とハウジングとの間に光作動素子のスリーブを保持する構成となっている。しかし、２本の柱部は、その先端側がハウジングを用いて連結されているものの、ハウジングの外側（前側）に向けて傾斜可能となっている。また、各柱部には相手方（例えば光コネクタ等）と係合するためのフック部が設けられているから、光モジュールを相手方に連結した状態で互いに引き離す力を加えると、フック部と一緒に柱部の先端側がハウジングの外側に向けて変形（傾斜）する傾向がある。このとき、２本の柱部間の間隙部にはスリーブが挿入されているから、柱部の先端側は間隙部の内側に変形することができず、間隙部の外側に向けて変形する。この結果、間隙部が拡開すると共に２つのフック部間の間隔も広がるから、光モジュールと相手方との間の結合強度が低下し、光モジュールから相手方が外れ易いという問題があった。
【０００５】
本発明は上述した従来技術の問題に鑑みなされたもので、本発明の目的は、相手方との間の結合強度を高めて、信頼性を向上させることができるコネクタ装置を提供することにある。
【課題を解決するための手段】
【０００６】
上述した課題を解決するために、本発明は、ケーシングと、該ケーシングの底部に間隙をもって立設された２本の柱部と、該各柱部にそれぞれ設けられ前記ケーシングの外側に向けて突出し相手方に係合するフック部と、前記ケーシングに取付けられ相手方に接続される接続端部が前記２本の柱部間に形成された間隙部内に配置されるコネクタ本体と、前記２本の柱部の先端側を連結する連結部材とを備えたコネクタ装置に適用される。
【０００７】
そして、請求項１の発明が採用する構成の特徴は、前記連結部材は、前記間隙部を越えて２本の柱部間に伸長し前記各柱部のうちフック部側に当接した梁部と、該梁部の両端側に設けられて前記各柱部に嵌合し該梁部の両端側から前記２本の柱部を挟む嵌合部とを有する構成としたことにある。
【０００８】
請求項２の発明では、前記嵌合部は、基端側が前記梁部の端部に接続され前記柱部を取囲んで前記ケーシングの外側から内側に向けて延びる腕部と、該腕部の先端に設けられ前記柱部に係合して前記連結部材がケーシングの外側に抜けるのを防止する保持ガイド部とを有する構成としている。
【０００９】
請求項３の発明では、前記腕部は、基端側から先端側に向けて前記柱部から離れる方向に傾斜して延びる構成としている。
【００１０】
請求項４の発明では、前記ケーシングには前記コネクタ本体を覆うカバー部材が設けられ、該カバー部材は、前記連結部材の梁部とケーシングとに連結して前記柱部がケーシングの外側に倒れるのを防止する構成としている。
【発明の効果】
【００１１】
請求項１の発明によれば、連結部材は、各柱部のうちフック部側に当接した梁部と、該梁部の両端側に設けられて各柱部に嵌合し該梁部の両端側から２本の柱部を挟む嵌合部とを有する構成としたから、梁部を用いて各柱部がフック部側（ケーシングの外側）に傾斜するのを防止することができる。また、梁部に対してフック部側に引っ張る力が作用したときには、梁部に接続された２つの嵌合部には互いに近付く方向の力が作用するから、２本の柱部の先端が拡開するのを防ぐことができる。この結果、２つのフック部間の間隔が広がるのを防止できるから、相手方との間の結合強度を高めてコネクタ装置が不必要に外れるのを防止でき、信頼性を高めることができる。
【００１２】
請求項２の発明によれば、嵌合部は、梁部の端部に接続され柱部を取囲んでケーシングの外側から内側に向けて延びる腕部と、該腕部の先端に設けられた保持ガイド部とを有する構成としたから、保持ガイド部を柱部に係合させて連結部材がケーシングの外側に抜けるのを防止することができる。また、梁部に対してケーシングの外側に向う力が作用したときには、保持ガイド部を用いて腕部を柱部に当接させて２つの柱部を引き寄せることができ、２つのフック部間の間隔をほぼ一定に保持することができる。
【００１３】
請求項３の発明によれば、腕部は、基端側から先端側に向けて柱部から離れる方向に傾斜して延びる構成としたから、梁部の両端側に設けられた２つの腕部の先端側を互いに拡開させることができる。このため、梁部に対して力が加わらない状態では、腕部と柱部との抵抗を減らしてケーシングに対して連結部材を容易に取付けることができる。これに対し、梁部に対してケーシングの外側に向う力が作用したときには、保持ガイド部を用いて拡開した腕部を引き寄せることができ、２つの柱部の先端側が近付く方向に力を加えることができる。
【００１４】
請求項４の発明によれば、ケーシングにはコネクタ本体を覆うカバー部材を設けると共に、該カバー部材は、連結部材の梁部とケーシングとに連結して柱部がケーシングの外側に倒れるのを防止する構成としたから、柱部の先端側が連結部材と一緒にケーシングの外側に変形するときでも、カバー部材を用いて柱部の変形を防止できる。このため、２つの柱部が拡開するのを防止して、２つのフック部間の間隔をほぼ一定に保持することができ、結合強度を高めることができる。
【発明を実施するための最良の形態】
【００１５】
以下、本発明の実施の形態によるコネクタ装置としてＳＣ形光コネクタに接続される光モジュールを例に挙げて、図１ないし図９を参照しつつ詳細に説明する。
【００１６】
図において、１は例えば樹脂材料を用いて形成され後述する光合分波器８を収容するケーシングで、該ケーシング１は、前，後方向に延びる略長方形の板状をなす底部２と、該底部２の左，右の端部および後端部から立設され底部２を取囲んで立設された周壁部３と、前記底部２の前端部に左，右方向（幅方向）に間隙をもって立設された２本の柱部４と、各柱部４にそれぞれ設けられケーシング１の外側に向けて突出したフック部５とによって大略構成されている。そして、底部２の後側には後述のピン端子９Ｂが挿通される複数の挿通孔２Ａが穿設されると共に、底部の前側には光合分波器８を位置決めする位置決め突起２Ｂが突設されている。
【００１７】
また、２本の柱部４の間には略半円形状の切欠きをなす間隙部６が形成されている。これにより、間隙部６内に後述する光合分波器８のフェルールホルダ８Ｂを上側（柱部４の先端側）から容易に挿入することができ、例えば円形状の貫通穴内にフェルールホルダ８Ｂをケーシング１の前，後方向から挿入する場合に比べて、光合分波器８の組付け性が向上している。さらに、間隙部６内には光合分波器８のフェルールホルダ８Ｂを位置決めする鍔部６Ａが形成されている。
【００１８】
一方、柱部４の基端側は、底部２と周壁部３とに接続されると共に、後方と左，右方向とに広幅となった段差部４Ａが形成されている。そして、段差部４Ａの高さ寸法は、後述のアダプタケース１０をケーシング１に取付けるときに、アダプタケース１０の嵌合部１４が干渉しない値に設定されている。
【００１９】
さらに、フック部５は、各柱部４から前側に向けて延びる平板状の板状腕部５Ａと、該板状腕部５Ａの先端に設けられ相手方の光コネクタ（図示せず）に係合する係合爪部５Ｂとによって構成されている。そして、２つのフック部５は互いに対向して設けられ、２つの係合爪部５Ｂ間に相手方の光コネクタを挟持した状態で抜け止めし、光モジュールに光コネクタを連結するものである。
【００２０】
また、ケーシング１の周壁部３には柱部４よりも後側に位置して左，右にそれぞれ突出した係合突起７（１個のみ図示）が設けられている。そして、係合突起７は、後述するカバー部材１８の係合孔２１内に挿入されて係合し、カバー部材１８をケーシング１に固定するものである。
【００２１】
８はケーシング１の前側に位置して底部２に取付けられたコネクタ本体としての光合分波器で、該光合分波器８は、レーザダイオード、フォトダイオード等（いずれも図示せず）の素子が収容されている素子収容部８Ａと、素子収容部８Ａから前側に向けて突出し相手方の光コネクタと接続する際に接続端部として機能するフェルールホルダ８Ｂとによって構成されている。そして、断面円形状をなして突出したフェルールホルダ８Ｂの基端側外周面には２つの環状鍔部８Ｃが形成され、これらの環状鍔部８Ｃ間に間隙部６の鍔部６Ａを挟んだ状態で、フェルールホルダ８Ｂは間隙部６内に挿入され、位置決めされる。これにより、フェルールホルダ８Ｂ等は前，後方向に対して位置決めされると共に、素子収容部８Ａは底部２の突起２Ｂによって位置決めされる。
【００２２】
９は光合分波器８に接続された回路基板で、該回路基板９には複数の回路部品９Ａが搭載されると共に、外部との間で信号を入出力するための複数のピン端子９Ｂが列設されている。そして、回路基板９は例えばリード線９Ｃを用いて光合分波器８に接続されると共に、ピン端子９Ｂが底部２の挿通孔２Ａに挿通された状態でケーシング１内に収容されている。これにより、ピン端子９Ｂの先端側は底部２から突出し、外部の電極等に接続可能となっている。
【００２３】
１０はケーシング１の前端側に取付けられ内部にフック部５が収容されるアダプタケースで、該アダプタケース１０は、例えば樹脂材料を用いて略四角形の筒状に形成されている。そして、アダプタケース１０は、前側に設けられ相手方の光コネクタが挿入されるガイド筒部１１と、該ガイド筒部１１の後側に設けられ２本の柱部４と連結することでケーシング１に取付けられる連結部材をなす連結部１２とによって大略構成されている。
【００２４】
また、連結部１２は、図４に示すように、ガイド筒部１１の後端側に位置して筒内に向けて突出した四角形の枠部１３と、該枠部１３の後側に位置して幅方向両端側に設けられケーシング１の柱部４にそれぞれ嵌合する嵌合部１４と、２つの嵌合部１４間に位置してケーシング１の底部２側に向けて枠部１３の上側より突出し間隙部６と一緒にフェルールホルダ８Ｂを保持する保持突起１５とによって構成されている。そして、保持突起１５の先端側には、間隙部６の鍔部６Ａと同様の円弧状の鍔部１５Ａが形成されている。これにより、間隙部６内に保持突起１５を挿入したときには、これらの鍔部６Ａ，１５Ａによって略円形状の貫通孔が形成される。このため、これらの鍔部６Ａ，１５Ａを２つの環状鍔部８Ｃで挟んだ状態で鍔部６Ａ，１５Ａによる貫通孔内にフェルールホルダ８Ｂを挿入することによって、フェルールホルダ８Ｂは前，後方向に加えて上，下方向に対しても位置決め固定されるものである。
【００２５】
また、枠部１３は、ケーシング１の柱部４の先端側と対向する上側に位置して幅方向に延びる梁部１３Ａと、梁部１３Ａの両端側に位置して柱部４に沿って上，下方向に延びる支柱部１３Ｂと、ケーシング１の底部２と対向する下側に位置して支柱部１３Ｂの底部側を連結する底梁部１３Ｃとによって構成されている。そして、梁部１３Ａは、間隙部６を越えて２本の柱部４間に伸長すると共に、アダプタケース１０をケーシング１の前端側に取付けたときに、各柱部４のうちフック部５側の面に当接する。また、支柱部１３Ｂ、底梁部１３Ｃは、アダプタケース１０をケーシング１の前端側に取付けたときに、柱部４、底部２にそれぞれ衝合する。
【００２６】
一方、嵌合部１４は、略四角形の箱状をなすものの、ケーシング１の底部２と対面する下端側と左，右方向の中心側とが開口し、梁部１３Ａの両端側（左，右両側）から２本の柱部４を挟む構成となっている。また、嵌合部１４は、梁部１３Ａの端部に接続され柱部４を取囲んでケーシング１の外側から内側（前側から後側）に向けて延び連結部１２の側面をなす腕部１４Ａと、該腕部１４Ａの先端に位置して左，右方向の中心側に向けて屈曲して設けられ柱部４に係合する保持ガイド部１４Ｂとによって構成されている。そして、保持ガイド部１４Ｂは、枠部１３の支柱部１３Ｂと前，後方向で対向し、嵌合部１４が柱部４に嵌合したときには、保持ガイド部１４Ｂと支柱部１３Ｂとの間に柱部４の段差部４Ａを挟持するものである。これにより、保持ガイド部１４Ｂは、連結部１２（アダプタケース１０）がケーシング１の外側（前側）に抜けるのを防止している。
【００２７】
また、腕部１４Ａは、図９に示すように、ケーシング１の前，後方向に対して傾斜角度θをもって傾斜し、基端側から先端側に向けて柱部４から離れる方向に傾斜して延びる構成となっている。
【００２８】
また、連結部１２には、梁部１３Ａの後側に位置して連結部１２の上端側に突出した天板側突起１６が突設されると共に、嵌合部１４の腕部１４Ａに左，右方向外側に突出した側面板側突起１７が突設されている。
【００２９】
１８は光合分波器８および回路基板９を覆う金属製のカバー部材で、該カバー部材１８は、ケーシング１の底部２との間に上方向から光合分波器８を挟む板部１８Ａと、該天板部１８Ａの左，右両側をケーシング１の底部２側に向けて折曲させた側面板部１８Ｂとによって構成され、断面コ字状をなしてケーシング１の前，後方向に沿って延びている。
【００３０】
また、天板部１８Ａには連結部１２の天板側突起１６と対向する位置に第１の係合孔１９が形成されている。一方、側面板部１８Ｂには、連結部１２の側面板側突起１７と対向する位置に第２の係合孔２０が設けられると共に、ケーシング１の係合突起７と対向する位置に第３の係合孔２１が設けられている。
【００３１】
そして、カバー部材１８は、ケーシング１に光合分波器８、回路基板９、アダプタケース１０が取付けられた状態で、光合分波器８等を覆うように上側から装着される。このとき、カバー部材１８の各係合孔１９〜２１の内部には、アダプタケース１０の天板側突起１６、側面板側突起１７とケーシング１の係合突起７がそれぞれ挿入され、カバー部材１８がアダプタケース１０とケーシング１とに対して抜け止め状態で連結、固定されるものである。
【００３２】
本実施の形態による光モジュールは上述の如き構成を有するもので、次にその作動について説明する。
【００３３】
まず、光モジュールを相手方の光コネクタに接続するときには、光モジュールのアダプタケース１０の内部に相手方の光コネクタ（図示せず）を挿入し、２つのフック部５間に相手方の光コネクタを挟持して抜け止めする。これにより、相手方の光コネクタ中の光ファイバがフェルールホルダ８Ｂで保持される光フェルール中の光ファイバを通じて光合分波器８内の素子に光結合されるから、光合分波器８を用いて相手方の光ファイバに光信号を送信することができると共に、相手方の光ファイバから受信した光信号を電気信号に変換して外部に出力することができる。
【００３４】
また、光モジュールを相手方の光コネクタから離脱するときには、例えば相手方の光コネクタの外周側に設けられた可動式のケーシングをアダプタケース１０の外側に向けて移動させる。これにより、フック部５による係合状態が解除されるから、この状態で相手方の光コネクタをアダプタケース１０内から引き抜くことができる。
【００３５】
然るに、光モジュールは２つのフック部５を用いて相手方との連結、抜け止めを行っているから、２つのフック部５間の間隔寸法は一定であることが望ましい。しかし、２つのフック部５は柱部４に設けられると共に、柱部４間には光合分波器８の組付け作業性を考慮した切欠き（間隙部６）が設けられているため、各柱部４の先端側が自由端となっている。このため、光モジュールを相手方に連結した状態で、例えば相手方の光ファイバを引っ張る力（図２中の矢示Ａ方向の力）が作用したときには、柱部４の先端側はケーシング１の前側に向けて傾斜する傾向がある。このとき、柱部４は、ケーシング１の前側や間隙部６の内側または外側（ケーシング１の幅方向）に対しては変形が容易となっている。一方、間隙部６内にはフェルールホルダ８Ｂが挿入されているから、柱部４は前傾する際にフェルールホルダ８Ｂの外曲面に沿って間隙部６を拡開する方向（図２中の矢示Ｂ方向）に変形する傾向がある。このように、間隙部６が拡開する方向に柱部４が変形すると、２つのフック部５間の間隔が広がり、光モジュールと光コネクタとの間の結合強度が低下するという問題がある。
【００３６】
これに対し、本実施の形態では、アダプタケース１０の連結部１２を用いて２本の柱部４を連結すると共に、連結部１２を、柱部４のうちフック部５側に当接した梁部１３Ａと、該梁部１３Ａの両端側に設けられて各柱部４に嵌合し該梁部１３Ａの両端側から２本の柱部４を挟む嵌合部１４とを有する構成としている。これにより、梁部１３Ａを用いて各柱部４がフック部５側（ケーシング１の前側）に傾斜するのを防止することができる。また、梁部１３Ａに対してフック部５側に引っ張る力が作用したときには、図９に示すように嵌合部１４の腕部１４Ｂが傾斜角度θをもって傾斜して形成されているため、梁部１３Ａに接続された２つの嵌合部１４には互いに近付く方向の力が作用し、２本の柱部４の先端が拡開するのを防ぐことができる。この結果、２つのフック部５間の間隔が広がるのを防止できるから、相手方の光コネクタとの間の結合強度を高めて光モジュールから光コネクタが不必要に外れるのを防止でき、信頼性を高めることができる。
【００３７】
また、嵌合部１４は、梁部１３Ａの端部に接続され柱部４を取囲んでケーシング１の前側から後側に向けて延びる腕部１４Ａと、該腕部１４Ａの先端に設けられた保持ガイド部１４Ｂとを有する構成としたから、保持ガイド部１４Ｂを柱部４に係合させて連結部１２がケーシング１から離脱するのを防止することができる。また、梁部１３Ａに対してケーシング１の前側に向う力が作用したときには、保持ガイド部１４Ｂを用いて腕部１４Ａを柱部４に当接させて２つの柱部４を引き寄せることができ、２つのフック部５間の間隔をほぼ一定に保持することができる。
【００３８】
また、腕部１４Ａは基端側から先端側に向けて柱部４から離れる方向に傾斜して延びる構成としたから、梁部１３Ａの両端側に設けられた２つの腕部１４Ａの先端側を互いに拡開させることができる。このため、梁部１３Ａに対して力が加わらない状態では、腕部１４Ａと柱部４との抵抗を減らしてケーシング１に対して連結部１２（アダプタケース１０）を容易に取付けることができる。これに対し、梁部１３Ａに対してケーシング１の前側に向う力が作用したときには、保持ガイド部１４Ｂを用いて拡開した腕部１４Ａを引き寄せることができ、２つの柱部４の先端側が近付く方向に力を加えることができる。
【００３９】
さらに、ケーシング１には光合分波器８等を覆うカバー部材１８を設けると共に、該カバー部材１８は、連結部１２の梁部１３Ａに対して天板側突起１６、側面板側突起１７と係合孔１９，２０とを介して係合するのに加え、ケーシング１に対して係合突起７と係合孔２１とを介して係合する構成としたから、カバー部材１８を用いて柱部４がケーシング１の前側に倒れるのを防止することができる。このため、柱部４の先端側が連結部１２と一緒にケーシング１の前側に向けて変形するときでも、カバー部材１８を用いて柱部４の変形を防止することができる。この結果、２つの柱部４が拡開するのを防止して、２つのフック部５間の間隔をほぼ一定に保持することができ、結合強度を高めることができる。
【００４０】
なお、前記実施の形態では、連結部材としての連結部１２をアダプタケース１０の後側に一体的に形成するものとしたが、例えばアダプタケース１０のガイド筒部１１と連結部１２を別体で形成する構成としてもよい。
【００４１】
また、前記実施の形態では、本発明によるコネクタ装置としてＳＣ形光コネクタに接続される光モジュールを例に挙げて説明したが、光ファイバに接続される他の光コネクタ、光モジュール等に適用してもよく、電気配線を接続するためのコネクタ装置に適用してもよい。
【００４２】
さらに、前記実施の形態では、連結部１２に設けた天板側突起１６、側面板側突起１７を用いて連結部１２の梁部１３Ａとカバー部材１８とを連結する構成とした。しかし、本発明はこれに限らず、例えば天板側突起１６、側面板側突起１７とのうちいずれか一方だけを用いて梁部１３Ａとカバー部材１８とを連結する構成としてもよい。また、突起１６，１７，７と係合孔１９〜２１とを用いてカバー部材１８とアダプタケース１０（連結部１２）、ケーシング１とを連結する構成としたが、ネジ止め、半田付け等の結合手段を用いてカバー部材と連結部、ケーシングとを連結する構成としてもよい。
【図面の簡単な説明】
【００４３】
【図１】本発明の実施の形態による光モジュールを示す斜視図である。
【図２】図１中の光モジュールを示す分解斜視図である。
【図３】図１中の柱部、フック部、アダプタケースおよび光合分波器と示す分解断面図である。
【図４】図３中の柱部、フック部およびアダプタケースを拡大して示す分解斜視図である。
【図５】ケーシングを図３中の矢示V−V方向からみた断面図である。
【図６】アダプタケースを図３中の矢示VI−VI方向からみた右側面図である。
【図７】図５中のケーシングにアダプタケースを取付けた状態を示す断面図である。
【図８】ケーシングにアダプタケースを取付けた状態で図７中の矢示VIII−VIII方向からみた断面図である。
【図９】ケーシングにアダプタケースを取付けた状態で図７中の矢示IX−IX方向からみた断面図である。
【符号の説明】
【００４４】
１  ケーシング
２  底部
４  柱部
４Ａ  段差部
５  フック部
６  間隙部
７  係合突起
８  光合分波器（コネクタ本体）
１０  アダプタケース
１２  連結部（連結部材）
１３  枠部
１３Ａ  梁部
１３Ｂ  支柱部
１４  嵌合部
１４Ａ  腕部
１４Ｂ  保持ガイド部
１６  天板側突起
１７  側面板側突起
１８  カバー部材
１９〜２１  係合孔
【図１】
2005309235.tif 000003
【図２】
2005309235.tif 000004
【図３】
2005309235.tif 000005
【図４】
2005309235.tif 000006
【図５】
2005309235.tif 000007
【図６】
2005309235.tif 000008
【図７】
2005309235.tif 000009
【図８】
2005309235.tif 000010
【図９】
2005309235.tif 000011